(57)【要約】
【課題】　カメラ付き携帯端末に装着することにより、カメラによる望遠又は広角での撮影を可能にするカメラ付き携帯端末用のコンバージョンレンズ装置を提供する。
【解決手段】　このカメラ用コンバージョンレンズ装置は、望遠や広角又は接写用のレンズを設けたコンバージョンレンズ２０と、コンバージョンレンズ２０の後部を着脱可能に嵌め込む環状の嵌合片４０を有し、中央に嵌合片の開口と通じる開口を有する板状のレンズ保持装置３０であって、外周の一部に、指で摘んで保持するためのツマミ部３２を有するレンズ保持装置とで構成される。
【選択図】　　　図１
0003099615.tif 000002
【実用新案登録請求の範囲】
【請求項１】
カメラ付き携帯端末やデジタルカメラに使用することにより、カメラによる望遠や広角又は接写での撮影を可能にするカメラ用コンバージョンレンズ装置であって、
　望遠や広角又は接写用のレンズを設けたコンバージョンレンズと、
　前記コンバージョンレンズの後部を着脱可能に嵌め込む環状の嵌合片を有し、中央に該嵌合片の開口と通じる開口を有する板状のレンズ保持装置であって、外周の一部に、指で摘んで保持するためのツマミ部を有するレンズ保持装置とで構成されることを特徴とするカメラ用コンバージョンレンズ装置。
【請求項２】
前記レンズ保持装置の前記カメラ付き携帯端末やデジタルカメラ側に、前記開口を取り囲むように複数の吸盤を設けたことを特徴とする請求項１に記載のカメラ用コンバージョンレンズ装置。
【請求項３】
デジタルカメラに使用することにより、カメラによる望遠や広角又は接写での撮影を可能にするカメラ用コンバージョンレンズ装置であって、
　望遠や広角又は接写用のレンズを設けたコンバージョンレンズと、
　前記コンバージョンレンズの後部を着脱可能に嵌め込む環状の嵌合片を有し、中央に該嵌合片の開口と通じる開口を有する板状のレンズ保持装置であって、デジタルカメラ側に、前記デジタルカメラから繰り出すレンズ筒の外周部分に嵌る内径の異なる複数の嵌合部を段状に形成した保持部材を有するレンズ保持装置とで構成されることを特徴とするカメラ用コンバージョンレンズ装置。
【考案の詳細な説明】
【技術分野】
【０００１】
　本考案は、カメラ付きの携帯電話やデジタルカメラにおいて、ワイド又はアップでの撮影を可能にするカメラ用コンバージョンレンズ装置に関する。
【背景技術】
【０００２】
　近年、携帯電話の普及に伴い、通話機能やメールの送受信機能に加えて、撮影した画像を送信できるカメラ付きの携帯電話が提供されてきている。また、携帯電話以外の携帯端末についてもカメラ付きの機種が提供されている。
【０００３】
　このカメラ付き携帯電話は、電話機本体の一部にＣＣＤ素子やＣＭＯＳセンサを用いたカメラが搭載されており、カメラ部分を対象に向けて電話機本体を操作することで撮影ができ、かつその撮影した画像データを送信するなどの処理が可能となっている。
【考案の開示】
【考案が解決しようとする課題】
【０００４】
　上述したこれまでのカメラ付き携帯電話においては、電話本体そのものが小型であることから搭載するカメラの機能が制限され、固定焦点距離の小型のカメラであり、光学式のズーム機能等は備えられていない。このため、屋内や狭い場所などでワイドに撮影したい場合や、撮影位置が限られていて対象をよりアップで撮りたい時等には対処することができないという不都合がある。この事情は、携帯電話以外の携帯端末に備えられたカメラについても同様である。
【０００５】
　さらに、これまでのデジタルカメラにおいては、カメラ本来のレンズでは不可能なより広角又は望遠での撮影を可能するために、各種の広角又は望遠用のコンバージョンレンズが用意されている。しかし、それらのコンバージョンレンズの装着機構は、カメラの機種毎に専用となっており、ある機種のデジタルカメラ用のコンバージョンレンズをその他の機種には使用できない。このため、機種を替えるとそれに合わせて専用のコンバージョンレンズを用意する必要があった。
【０００６】
　本考案の目的は、上記従来の欠点を解決するため、カメラ付きの携帯電話等に使用することにより、手軽によりレンズの焦点距離を変えて広角（ワイド）や望遠（アップ）又は接写での撮影を可能にするコンバージョンレンズ装置を提供することにある。
【０００７】
　また、本考案の他の目的は、カメラ付き携帯端末に装着しない場合には、通常の望遠鏡としても使用することができる、非常に便利なコンバージョンレンズ装置を提供することにある。
【０００８】
　さらに、本考案の目的は、レンズが繰り出す形式のデジタルカメラであっても、機種に限定されずに、種々の機種のデジタルカメラに汎用的に使用することができるコンバージョンレンズ装置を提供することにある。
【課題を解決するための手段】
【０００９】
　上記の目的を達成するため本考案は、カメラ付き携帯端末やデジタルカメラに使用することにより、カメラによる望遠や広角又は接写での撮影を可能にするカメラ用コンバージョンレンズ装置であって、望遠や広角又は接写用のレンズを設けたコンバージョンレンズと、前記コンバージョンレンズの後部を着脱可能に嵌め込む環状の嵌合片を有し、中央に該嵌合片の開口と通じる開口を有する板状のレンズ保持装置であって、外周の一部に、指で摘んで保持するためのツマミ部を有するレンズ保持装置とで構成されることを特徴とする。
【００１０】
　請求項２の本考案によれば、前記レンズ保持装置の前記カメラ付き携帯端末やデジタルカメラ側に、前記開口を取り囲むように複数の吸盤を設けたことを特徴とする。
【００１１】
　請求項３の本考案によれば、デジタルカメラに使用することにより、カメラによる望遠や広角又は接写での撮影を可能にするカメラ用コンバージョンレンズ装置であって、望遠や広角又は接写用のレンズを設けたコンバージョンレンズと、前記コンバージョンレンズの後部を着脱可能に嵌め込む環状の嵌合片を有し、中央に該嵌合片の開口と通じる開口を有する板状のレンズ保持装置であって、デジタルカメラ側に、前記デジタルカメラから繰り出すレンズ筒の外周部分に嵌る内径の異なる複数の嵌合部を段状に形成した保持部材を有するレンズ保持装置とで構成されることを特徴とする。
【考案の効果】
【００１２】
　本考案のカメラ付き携帯端末用のコンバージョンレンズ装置によれば、カメラ付きの携帯電話等に使用することにより、手軽によりレンズの焦点距離を変えて広角（ワイド）や望遠（アップ）又は接写での撮影を楽しむことができる。よって、屋内や狭い場所でよりワイドな撮影が可能になり、撮影位置が限られていたりもっとアップで撮りたい時には迫力ある画像を撮影することができるようになる。
【００１３】
　また、携帯端末の機種に限定されることなく、種々の機種のカメラ付き携帯端末又は携帯電話に汎用的に使用することができる。
【００１４】
　また、レンズが繰り出す形式のデジタルカメラであっても、機種に限定されずに、種々の機種のデジタルカメラに汎用的に使用することができる。
【００１５】
　また、携帯電話に装着しない場合には、それ単体で望遠鏡としても利用することができ、非常に便利である。
【考案を実施するための最良の形態】
【００１６】
　以下、本考案の第１の実施の形態について図面を参照して詳細に説明する。本考案の第１の実施の形態によるカメラ用コンバージョン装置の外観斜視図であり、カメラ用コンバージョン装置をカメラ付き形態電話に用いた場合を示している。この第１の実施の形態によるコンバージョンレンズ装置１０は、カメラ付き携帯電話やデジタルカメラに使用することにより望遠レンズとして機能する。
【００１７】
　図において、本実施の形態によるコンバージョンレンズ装置１０は、コンバージョンレンズ２０と、レンジ保持装置３０とで構成されている。
【００１８】
　コンバージョンレンズ装置の縦断面図である図４に示すように、コンバージョンレンズ２０は、前方に向かって次第に広がる筒状に形成されたレンズ枠部２１に、対物側の凸レンズ２２と接眼側の凹レンズ２３を固着して構成されている。この凸レンズ２２と凹レンズ２３は、レンズ枠部２１の前方と後方にそれぞれ超音波溶着等の手法によって固着されており、凸レンズ２２と凹レンズ２３によって防水構造が施されている。
【００１９】
　また、コンバージョンレンズ１０は、この凸レンズ２２と凹レンズ２３によってガリレイ式の望遠鏡としての機能を備えており、凹レンズ２３側から覗くことにより一定の倍率で対象を近づけて見ることができる。このコンバージョンレンズ１０の倍率については、凸レンズ２２と凹レンズ２３の焦点距離によって決定されるので、所定の倍率が得られるように凸レンズ２２と凹レンズ２３を選択する。
【００２０】
　レンズ枠部２１の後方部分は、図４に示すように、レンジ保持装置３０側に装着するための凹部２５が形成されている。
【００２１】
　レンジ保持装置３０は、図２及び図３に示すように、円板状の保持部材３１と、上記レンズ枠部２０の凹部２５に嵌る嵌合片４０とで構成されている。
【００２２】
　円板状の保持部材３１は、合成樹脂等の材質によって形成され、そのほぼ中央部分には、開口部３３が設けられ、かつ外周の一部には、保持部材３１を指で摘むようにして保持するためのツマミ部３２が一体に形成されている。
【００２３】
　開口部３３については、コンバージョンレンズ２０の接眼側の開口の大きさとほぼ同じ寸法となるように形成されている。
【００２４】
　嵌合片４０は、合成樹脂等の材質によって図示のように環状に形成され、上記保持部材３１に固着されている。嵌合片４０の中央部分には保持部材の開口部３３とほぼ同じ大きさの開口部４１が形成され、その開口部４１が開口部３３に適合するように、保持部材３１側に固着される。
【００２５】
　嵌合片４０の外径は、レンズ枠部２１の凹部２５の内径とほぼ等しく形成されており、レンズ枠部２１の凹部２５を嵌合片４０に嵌め込む場合に、多少のきつさをもって嵌ることによってコンバージョンレンズ２０を安定した状態で保持されるように構成されている。
【００２６】
　また、嵌合片４０の周囲部分には弾力を持たせるための切り込み部４０ａが設けられている。
【００２７】
　実際の使用において、コンバージョンレンズ装置１０をカメラ付き携帯電話５０に用いる場合には、レンズ枠部２０の凹部２５の部分をレンズ保持装置３０の嵌合片４０に被せるようにしてコンバージョンレンズ２０を装着する。
【００２８】
　そして、レンズ保持装置３０のツマミ部３２を摘んで持つことにより、保持部材３１の開口部３３の部分を、カメラ付き携帯電話５０のカメラ部分５１に位置合せして保持する。
【００２９】
　この状態で、カメラ付き携帯電話５０を操作してカメラによる撮影を行なえば、コンバージョンレンズ２０の望遠効果によって対象を拡大したアップでの撮影が可能となる。
【００３０】
　加えて、撮影しない場合でも、上記のようにコンバージョンレンズ２０を望遠鏡として用いることができるので、極めて有用である。
【００３１】
　さらに、コンバージョンレンズ２０のレンズ枠部２１、凸レンズ２２、凹レンズ２３を合成樹脂製とすれば、コンバージョンレンズ２０を極めて小型軽量とすることができ、かつ安価に提供することができる。
【００３２】
　なお、上記実施の形態では、レンズ枠部２０の凹部２５の部分を嵌合部４０に被せる構造としたが、嵌合部４０の内径をレンズ枠部２０の接眼側の外形とほぼ同じに形成することにより、レンズ枠部２０を嵌合部４０内に嵌め込む構造とすることも可能である。
【００３３】
　次に、本考案の第２の実施の形態によるコンバージョンレンズ装置について図５、図６を参照して説明する。図５は本考案の第２の実施の形態によるコンバージョンレンズ装置の外観斜視図、図６はその縦断面図である。
【００３４】
　第２の実施の形態によるコンバージョンレンズ装置１０は、カメラ付き携帯電話５０やデジタルカメラに使用することにより広角（ワイド）レンズとして機能する。
【００３５】
　このコンバージョンレンズ装置１０では、第１の実施の形態と異なり、コンバージョンレンズ２０ａを、レンズ枠部２１ａの対物側に凹レンズ１２２を、接眼側に凸レンズ１２３を装着して構成している。レンズ枠部２１ａは、第１の実施の形態と同じように、前方に向かって次第に広がる筒状に形成されており、凹レンズ１２２と凸レンズ１２３とが超音波溶着等の手法によって固着されている。
【００３６】
　コンバージョンレンズ２０ａは、この凹レンズ１２２と凸レンズ１２３によって広角レンズとしての機能を有しており、どの程度の広角倍率とするかは、凹レンズ１２２と凸レンズ１２３の焦点距離によって決定されるので、所定の倍率が得られるように凹レンズ１２２と凸レンズ１２３を選択する。
【００３７】
　レンズ枠部２１ａの後方部分に、凹部２５が形成されている点、レンズ保持装置３０の保持部材３１に、嵌合片４０が貼り付けられている点については、第１の実施の形態と同様である。
【００３８】
　実際の使用においては、第１の実施の形態と同様に、レンズ枠部２１ａの凹部２５の部分をレンズ保持装置３０の嵌合片４０に被せるようにしてコンバージョンレンズ２０ａを装着し、レンズ保持装置３０のツマミ部３２を摘んで持つことにより、保持部材３１の開口部３３の部分を、カメラ付き携帯電話５０のカメラ部分５１に位置合せして保持する。
【００３９】
　この状態で、カメラ付き携帯電話５０を操作してカメラによる撮影を行なえば、コンバージョンレンズ２０ａの広角効果によってよりワイドな撮影が可能となる。
【００４０】
　次に、本考案の第３の実施の形態によるコンバージョンレンズ装置について図７を参照して説明する。図７は本考案の第２の実施の形態によるコンバージョンレンズ装置の縦断面図である。
【００４１】
　第３の実施の形態によるコンバージョンレンズ装置１０は、カメラ付き携帯電話５０やデジタルカメラに使用することにより接写用のレンズとして機能する。
【００４２】
　このコンバージョンレンズ装置１０では、第１の実施の形態と異なり、コンバージョンレンズ２０ｂを、レンズ枠部２１ｂの対物側に凸レンズ２２２のみを装着して構成している。レンズ枠部２１ｂは、第１の実施の形態と同じように、前方に向かって次第に広がる筒状に形成されており、凸レンズ２２２が超音波溶着等の手法によって固着されている。
【００４３】
　コンバージョンレンズ２０ｂは、この凸レンズ２２２によって接写による拡大レンズとしての機能を有しており、どの程度の倍率とするかは、凸レンズ２２２の焦点距離によって決定されるので、所定の倍率が得られるように凸レンズ２２２を選択する。
【００４４】
　コンバージョンレンズ２０ｂ以外の構造については、上記した第１、第２の実施の形態と同じであるので説明は省略する。
【００４５】
　この第３の実施の形態によるコンバージョンレンズ装置を使用してカメラ付き携帯電話５０のカメラによる撮影を行なえば、コンバージョンレンズ２０ｂによって撮影対象に近づいた接写撮影が可能となる。
【００４６】
　次に、本考案の第４の実施の形態によるコンバージョンレンズ装置について図８、図９、図１０及び図１１を参照して説明する。ここでは、第４の実施の形態によるコンバージョンレンズ装置を、デジタルカメラに用いた場合を示している。
【００４７】
　この第４の実施の形態では、レンズ保持装置３０ａの保持部材３１ａのカメラ７０側に、複数（実施の形態では８個）の小型の吸盤６０を設けて構成されている。
【００４８】
　その他のコンバージョンレンズ２０及び嵌合片４０等の構造については、基本的に第１の実施の形態から第３の実施の形態と同じである。
【００４９】
　上記吸盤６０は、樹脂部材やゴムなどで形成されており、保持部材３１ａの外周近傍に等間隔に設けられている。保持部材３１を合成樹脂で形成することにより、上記吸盤６０を保持部材３１と一体に形成することも可能である。
【００５０】
　第４の実施の形態では、レンズが繰り出さない形式のデジタルカメラ７０やその他カメラ付き携帯電話等であって、カメラ部分の周囲の表面が滑らかな機種に使用することができる。
【００５１】
　実際の使用にあたっては、レンズ枠部２０の凹部２５の部分をレンズ保持装置３０の嵌合片４０に被せるようにしてコンバージョンレンズ２０を装着すると共に、保持部材３１ａの開口部３３の部分を、デジタルカメラ７０のレンズ部分７１に位置合せしながら、レンズ保持装置３０ａの保持部材３１ａの吸盤６０をデジタルカメラ７０の表面に吸着させることによよって保持する。
【００５２】
　これにより、第１から第３の実施の形態のように、ツマミ部３２を持つことなく手離しでコンバージョンレンズによる撮影を行うことができる。また、デジタルカメラ７０の表面が吸着できるほど滑らかでない場合には、上述した実施の形態と同様に、ツマミ部３２を持って保持するようにすればよい。
【００５３】
　次に、本考案の第５の実施の形態によるコンバージョンレンズ装置について図１２、図１３を参照して説明する。
【００５４】
　第５の実施の形態によるコンバージョンレンズ装置は、レンズが前方に繰り出す形式のデジタルカメラ７０に使用するものである。
【００５５】
　この第５の実施の形態では、レンズ保持装置３０ｂの保持部材３５が、デジタルカメラ７０のレンズ筒に嵌る構造となっている。
【００５６】
　その他のコンバージョンレンズ２０及び嵌合片４０等の構造については、基本的に第１の実施の形態から第３の実施の形態と同じである。
【００５７】
　上記保持部材３５は、合成樹脂等の材質によって円筒状に形成されており、内部に内径の異なる複数の嵌合部３５ａ、３５ｂ、３５ｃを段状に形成した構造となっている。
【００５８】
　保持部材３５の嵌合部３５ａ、３５ｂ、３５ｃは、デジタルカメラ７０から繰り出すレンズ筒７２にある程度のきつさをもって嵌る寸法に形成されており、機種によって寸法の異なるレンズ筒７２にも対応することができるようなっている。この実施の形態では、レンズ筒７２の寸法が異なる３種類の機種に対応できるように構成されている。
【００５９】
　実際の使用にあたっては、レンズ枠部２０の凹部２５の部分をレンズ保持装置３０の嵌合片４０に被せるようにしてコンバージョンレンズ２０を装着すると共に、レンズ保持装置３０ｂの保持部材３５をデジタルカメラ７０のレンズ筒７２に嵌め込むことによって保持する。
【００６０】
　これにより、第１から第３の実施の形態のように、ツマミ部３２を持つことなく手離しでコンバージョンレンズによる撮影を行うことができる。
【００６１】
　なお、本考案は上述した実施の形態に限定されるものではなく、その技術思想の範囲内において様々に変形して実施することができる。
【００６２】
　上記実施の形態では、本考案のコンバージョンレンズ装置をカメラ付き携帯電話やデジタルカメラに装着する場合について説明したが、それに限らず、それ以外のカメラ付き携帯端末にも同様に使用することが可能なのは言うまでもない。
【００６３】
　例えば、嵌合片４０については、保持部材３１に両面テープなどにより着脱可能に取り付けるようにすれば、寸法の異なるコンバージョンレンズがある場合には、その寸法に応じた嵌合片を用意し、嵌合片を取り替えるだけで種々の寸法のコンバージョンレンズを装着することができる。
【図面の簡単な説明】
【００６４】
【図１】本考案の第１の実施の形態によるカメラ用コンバージョンレンズ装置の外観斜視図である。
【図２】本考案の第１の実施の形態によるカメラ用コンバージョンレンズ装置のレンズ保持装置の斜視図である。
【図３】本考案の第１の実施の形態によるカメラ用コンバージョンレンズ装置のレンズ保持装置の分解斜視図である。
【図４】本考案の第１の実施の形態によるカメラ用のコンバージョンレンズ装置の縦断面図である。
【図５】本考案の第２の実施の形態によるカメラ用コンバージョンレンズ装置の外観斜視図である。
【図６】本考案の第２の実施の形態によるカメラ用コンバージョンレンズ装置の縦断面図である。
【図７】本考案の第３の実施の形態によるカメラ用コンバージョンレンズ装置の縦断面図である。
【図８】本考案の第４の実施の形態によるカメラ用コンバージョンレンズ装置のレンズ保持装置の正面図である。
【図９】本考案の第４の実施の形態によるカメラ用コンバージョンレンズ装置のレンズ保持装置の側面図である。
【図１０】本考案の第４の実施の形態によるカメラ用コンバージョンレンズ装置のレンズ保持装置の斜視図である。
【図１１】本考案の第４の実施の形態によるカメラ用コンバージョンレンズ装置の縦断面図である。
【図１２】本考案の第５の実施の形態によるカメラ用コンバージョンレンズ装置の斜視図である。
【図１３】本考案の第４の実施の形態によるカメラ用コンバージョンレンズ装置の縦断面図である。
【符号の説明】
【００６５】
　　１０：コンバージョンレンズ装置
　　２０、２０ａ、２０ｂ：コンバージョンレンズ
　　２１、２１ａ、２１ｂ：レンズ枠部
　　２２、１２３、２２２：凸レンズ
　　２３、１２２：凹レンズ
　　２５：凹部
　　３０、３０ａ、３０ｂ：レンズ保持装置
　　３１、３１ａ、３５：保持部材
　　３２：ツマミ部
　　３３：開口部
　　３５ａ、３５ｂ、３５ｃ：嵌合部
　　４０：嵌合片
　　４０ａ：切り込み部
　　４１：開口部
　　５０：カメラ付き携帯電話
　　５１：カメラ部分
　　６０：吸盤
　　７０：デジタルカメラ
　　７１：レンズ部分
　　７２：レンズ筒
【図１】
0003099615.tif 000003
【図２】
0003099615.tif 000004
【図３】
0003099615.tif 000005
【図４】
0003099615.tif 000006
【図５】
0003099615.tif 000007
【図６】
0003099615.tif 000008
【図７】
0003099615.tif 000009
【図８】
0003099615.tif 000010
【図９】
0003099615.tif 000011
【図１０】
0003099615.tif 000012
【図１１】
0003099615.tif 000013
【図１２】
0003099615.tif 000014
【図１３】
0003099615.tif 000015